(57)【要約】【課題】ＦＰＵ（Field Pick-up Unit）において、端末がＤＬ（Down Link）信号の受信に失敗しても、基地局と端末との間で通信に使用する周波数に乖離が生じることを防ぐこと。【解決手段】新たな通信用の（遷移先の）周波数である初期周波数が、予め、基地局２００から端末１００に通知される。ＤＬ信号の受信に失敗した場合、ベースバンド受信処理部１０２は、ＤＬ信号受信の失敗を示すフラグ情報を周波数選択部１０３に出力する。周波数選択部１０３は、ベースバンド受信処理部１０２からフラグ情報を入力した場合、通信用の周波数として初期周波数を選択する。【選択図】図１
2019161307.tif 000002
【特許請求の範囲】
【請求項１】
基地局と時分割複信方式の無線通信を行う端末であって、
周波数を選択する周波数選択部と、
前記周波数のローカル信号を発生させるシンセサイザ部と、
上りリンク信号に対して前記周波数のローカル信号を用いて送信処理を行って前記基地局に送信する送信処理部と、
前記基地局から受信した下りリンク信号に対して前記周波数のローカル信号を用いて受信処理を行い、前記下りリンク信号の受信に成功したか失敗したか判定する受信処理部と、
を具備し、
前記周波数選択部は、
前記受信処理部が前記下りリンク信号の受信に失敗した場合、前記基地局と前記端末との間で既知の初期周波数を、新たな通信に使用する周波数として選択する、
端末。
【請求項２】
前記周波数選択部は、
前記初期周波数を通信に使用している際に、前記受信処理部が前記下りリンク信号の受信に失敗した場合、前記基地局と前記端末との間で既知の前記初期周波数以外の周波数を、新たな通信に使用する周波数として選択する、
請求項１に記載の端末。
【請求項３】
前記送信処理部は、
前記受信処理部が前記下りリンク信号の受信に失敗した場合、前記上りリンク信号の送信を停止させる、
請求項１または２に記載の端末。
【請求項４】
端末と時分割複信方式の無線通信を行う基地局であって、
周波数を選択する周波数選択部と、
前記周波数のローカル信号を発生させるシンセサイザ部と、
下りリンク信号に対して前記周波数のローカル信号を用いて送信処理を行って前記端末に送信する送信処理部と、
前記端末から受信した上りリンク信号に対して前記周波数のローカル信号を用いて受信処理を行う受信処理部と、
前記周波数における上りリンク信号の受信強度を測定する測定部と、
を具備し、
前記周波数選択部は、
前記周波数における上りリンク信号の受信強度が閾値以下である場合、前記基地局と前記端末との間で既知の初期周波数を、新たな通信に使用する周波数として選択する、
基地局。
【請求項５】
端末と基地局とが周波数を用いて時分割複信方式の無線通信を行う無線通信システムであって、
前記端末は、
前記基地局から受信した下りリンク信号の受信に失敗した場合、前記基地局と前記端末との間で既知の初期周波数を、新たな通信に使用する周波数として選択し、
前記基地局は、
前記周波数における上りリンク信号の受信強度が閾値以下である場合、前記初期周波数を、新たな通信に使用する周波数として選択する、
無線通信システム。
【請求項６】
基地局と時分割複信方式の無線通信を行う端末における通信方法であって、
周波数を選択し、
上りリンク信号に対して前記周波数のローカル信号を用いて送信処理を行い、
下りリンク信号に対して前記周波数のローカル信号を用いて受信処理を行い、
前記下りリンク信号の受信に成功したか失敗したか判定し、
前記下りリンク信号の受信に失敗した場合、前記基地局と前記端末との間で既知の初期周波数を、新たな通信に使用する周波数として選択する、
通信方法。
【発明の詳細な説明】
【技術分野】
【０００１】
本開示は、端末、基地局、無線通信システムおよび通信方法に関する。
【背景技術】
【０００２】
従来、テレビの生中継、緊急報道等の映像伝送を行う無線通信システムに用いる装置として、ＦＰＵ（Field Pick-up Unit）が知られている。このＦＰＵは、放送分野の素材伝送のために用いられ、中継現場側の移動局（端末）から放送局側の基地局へ本線情報のＵＬ（Up Link）信号を伝送し、放送局側の基地局から中継現場側の移動局へ送り返し情報のＤＬ（Down Link）信号を伝送する。カメラにより撮像された映像は、リアルタイムでファイル伝送され、移動局から基地局へＵＬ信号として送信され、記憶メディアに格納され再生される。
【０００３】
ＦＰＵは、放送分野の素材伝送のために用いられ、トランシーバ等の他システムと共用する周波数帯域の一部を用いて無線通信を行う。このため、ＦＰＵでは、通信に使用中の周波数における干渉の有無を常時監視し、他のシステムとの干渉を防ぐ必要がある。ＦＰＵの基地局は、通信に使用中の周波数の干渉量が所定の閾値を越えた場合、移動局に、他の周波数に遷移させることを通知する（特許文献１参照）。
【先行技術文献】
【特許文献】
【０００４】
【特許文献１】特開２０１２−２９２５３号公報
【発明の概要】
【発明が解決しようとする課題】
【０００５】
ＦＰＵで高速化が望まれるのは、放送で使用されている映像情報等である本線情報のＵＬ信号である。ＦＰＵでは、ＵＬ信号の伝送レートを高くするため、移動局は、ＤＬ信号の受信結果を示すフィードバック情報（Ａｃｋ／Ｎａｃｋ）を基地局へ伝送しない。
【０００６】
このため、基地局は、移動局が、遷移先の周波数を示す情報を含むＤＬ信号を受信できたか否かを知ることができない。
【０００７】
この結果、移動局がＤＬ信号の受信に失敗した場合、移動局は通信用の周波数を遷移できず、基地局だけが通信用の周波数を遷移することになり、基地局と移動局との間で通信に使用する周波数に乖離が生じ、通信不能となるおそれがある。
【０００８】
本開示の非限定的な実施例は、端末がＤＬ信号の受信に失敗しても、基地局と移動局との間で通信に使用する周波数に乖離が生じることを防ぐ端末、基地局、無線通信システムおよび通信方法の提供に資することである。
【課題を解決するための手段】
【０００９】
本開示の一態様に係る端末は、基地局と時分割複信方式の無線通信を行う端末であって、周波数を選択する周波数選択部と、前記周波数のローカル信号を発生させるシンセサイザ部と、上りリンク信号に対して前記周波数のローカル信号を用いて送信処理を行って前記基地局に送信する送信処理部と、前記基地局から受信した下りリンク信号に対して前記周波数のローカル信号を用いて受信処理を行い、前記下りリンク信号の受信に成功したか失敗したか判定する受信処理部と、を具備し、前記周波数選択部は、前記受信処理部が前記下りリンク信号の受信に失敗した場合、前記基地局と前記端末との間で既知の初期周波数を、新たな通信に使用する周波数として選択する。
【００１０】
本開示の一態様に係る基地局は、端末と時分割複信方式の無線通信を行う基地局であって、周波数を選択する周波数選択部と、前記周波数のローカル信号を発生させるシンセサイザ部と、下りリンク信号に対して前記周波数のローカル信号を用いて送信処理を行って前記端末に送信する送信処理部と、前記端末から受信した上りリンク信号に対して前記周波数のローカル信号を用いて受信処理を行う受信処理部と、前記周波数における上りリンク信号の受信強度を測定する測定部と、を具備し、前記周波数選択部は、前記周波数における上りリンク信号の受信強度が閾値以下である場合、前記基地局と前記端末との間で既知の初期周波数を、新たな通信に使用する周波数として選択する。
【００１１】
本開示の一態様に係る無線通信システムは、端末と基地局とが周波数を用いて時分割複信方式の無線通信を行う無線通信システムであって、前記端末は、前記基地局から受信した下りリンク信号の受信に失敗した場合、前記基地局と前記端末との間で既知の初期周波数を、新たな通信に使用する周波数として選択し、前記基地局は、前記周波数における上りリンク信号の受信強度が閾値以下である場合、前記初期周波数を、新たな通信に使用する周波数として選択する。
【００１２】
本開示の一態様に係る通信方法は、基地局と時分割複信方式の無線通信を行う端末における通信方法であって、周波数を選択し、上りリンク信号に対して前記周波数のローカル信号を用いて送信処理を行い、下りリンク信号に対して前記周波数のローカル信号を用いて受信処理を行い、前記下りリンク信号の受信に成功したか失敗したか判定し、前記下りリンク信号の受信に失敗した場合、前記基地局と前記端末との間で既知の初期周波数を、新たな通信に使用する周波数として選択する。
【００１３】
なお、これらの包括的または具体的な態様は、システム、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１４】
本開示の一態様によれば、端末がＤＬ信号の受信に失敗しても、基地局と端末との間で通信に使用する周波数に乖離が生じることを防ぐことができる。
【００１５】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１６】
【図１】本開示の実施の形態１に係る端末の内部構成を示すブロック図
【図２】本開示の実施の形態１に係る基地局の内部構成を示すブロック図
【図３】本開示の実施の形態１における周波数の選択を説明する図
【図４】本開示の実施の形態１に係る端末のフロー図
【図５】本開示の実施の形態１に係る基地局のフロー図
【図６】本開示の実施の形態２に係る端末の内部構成を示すブロック図
【図７】本開示の実施の形態２における周波数の選択を説明する図
【図８】本開示の実施の形態２に係る端末のフロー図
【発明を実施するための形態】
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、添付図面および以下の説明は、当業者が本開示を十分に理解するために、提供されるのであって、これらにより特許請求の範囲に記載の主題を限定することは意図されていない。
【００１９】
（実施の形態１）
実施の形態１に係る無線通信システムは、図１に示す端末１００と、図２に示す基地局２００と、を有する。端末１００および基地局２００は、例えば、放送分野の素材伝送に用いられるＦＰＵである。すなわち、端末１００は上りリンク信号（ＵＬ（Uplink）信号）として映像情報等を基地局２００へ送信し、基地局２００は下りリンク信号（ＤＬ（Downlink）信号）として制御信号を端末１００へ送信する。
【００２０】
また、実施の形態１に係る無線通信システムでは、ＵＬ区間（ＵＬ信号の送信区間）をＤＬ区間（ＤＬ信号の送信区間）よりも長くする時分割複信（ＴＤＤ：Time Division Duplex）方式が採用されている。また、ＵＬ区間とＤＬ区間との間には、何も信号が送信されないガードタイム（ＧＴ）が設けられる。なお、ＦＰＵでは、所定のフレームにおいて、ＤＬ信号を送信せず（ＤＬ区間を設けず）、ＵＬ信号のみを送信しても良い。
【００２１】
実施の形態１では、新たな通信用の（遷移先の）第１候補の周波数である初期周波数、及び、遷移先の第２以降の候補の周波数の、初期周波数との関係性（例えば、初期周波数をｆ１とした場合、第２以降の候補の他の周波数として、初期周波数に隣接し、初期周波数よりも高い周波数であるｆ２を選択する等）が上位レイヤで予め決定される。端末１００と基地局２００との間で通信が確立された後、初期周波数、及び、初期周波数と他の周波数との関係性が基地局２００から端末１００に通知される。端末１００及び基地局２００は、初期周波数、及び、初期周波数と他の周波数との関係性をメモリ（図１、２に図示せず）に記憶する。
【００２２】
＜端末の内部構成＞
次に、実施の形態１に係る端末１００の内部構成について図１を用いて説明する。図１に示すように、端末１００は、無線受信部１０１と、ベースバンド受信処理部１０２と、周波数選択部１０３と、シンセサイザ部１０４と、ベースバンド送信処理部１０５と、無線送信部１０６と、から主に構成される。
【００２３】
無線受信部１０１は、アンテナに受信された無線信号（ＤＬ信号）に対して、増幅、フィルタリング等の無線受信処理を行う。そして、無線受信部１０１は、無線受信処理後の信号に対して、シンセサイザ部１０４から出力されたローカル信号を用いてダウンコンバートし、ベースバンド信号（ＯＦＤＭ信号）を得る。そして、無線受信部１０１は、ベースバンド受信処理部１０２にベースバンド信号を出力する。
【００２４】
ベースバンド受信処理部１０２は、無線受信部１０１から出力されたベースバンド信号に対して、ＦＦＴ（Fast Fourier Transform）処理、復調処理、誤り訂正処理等のベースバンド受信処理を行い、誤り検出処理、すなわち、ＤＬ信号の受信の成功／失敗の判定を行う。誤りが検出されなかった場合、すなわち、ＤＬ信号の受信に成功した場合、ベースバンド受信処理部１０２は、制御信号を得る。そして、ベースバンド受信処理部１０２は、制御信号の内、初期周波数情報、及び、基地局２００が選択した周波数を示す選択周波数情報を周波数選択部１０３に出力する。一方、誤りが検出された場合、すなわち、ＤＬ信号の受信に失敗した場合、ベースバンド受信処理部１０２は、ＤＬ信号受信の失敗を示すフラグ情報を周波数選択部１０３に出力する。
【００２５】
周波数選択部１０３は、ベースバンド受信処理部１０２から選択周波数情報を入力した場合、選択周波数情報が示す周波数を通信用の周波数として選択する。
【００２６】
また、周波数選択部１０３は、ベースバンド受信処理部１０２からフラグ情報を入力した場合、通信用の周波数として初期周波数を選択する。なお、初期周波数が使用中である場合、周波数選択部１０３は、初期周波数の次の周波数（初期周波数に隣接し、初期周波数よりも高い周波数）等、初期周波数以外の周波数を通信用の周波数として選択する。
【００２７】
そして、周波数選択部１０３は、次フレームの先頭（ＵＬ信号の送信開始タイミング）において、選択した周波数のローカル信号を発生させるようにシンセサイザ部１０４を制御する。
【００２８】
シンセサイザ部１０４は、周波数選択部１０３が選択した周波数のローカル信号を発生させて無線受信部１０１及び無線送信部１０６に出力する。
【００２９】
ベースバンド送信処理部１０５は、送信データ（ＵＬデータ）に対して誤り訂正符号化および変調を行い、変調後の送信データに対してＩＦＦＴ（Inverse Fast Fourier Transform）処理を行い、ベースバンド信号（ＯＦＤＭ信号）を得る。そして、ベースバンド送信処理部１０５は、無線送信部１０６にベースバンド信号を出力する。
【００３０】
無線送信部１０６は、ベースバンド送信処理部１０５から出力されたベースバンドの送信信号に対して、増幅、フィルタリング等の無線送信処理を行う。そして、無線送信部１０６は、無線送信処理後の信号に対して、シンセサイザ部１０４から出力されたローカル信号を用いてアップコンバートし、無線信号（ＵＬ信号）を得る。そして、無線送信部１０６は、アンテナからＵＬ信号を送信する。
【００３１】
＜基地局の内部構成＞
次に、実施の形態１に係る基地局２００の内部構成について図２を用いて説明する。図２に示すように、基地局２００は、制御信号生成部２０１と、ベースバンド送信処理部２０２と、無線送信部２０３と、無線受信部２０４と、ベースバンド受信処理部２０５と、干渉量測定部２０６と、周波数選択部２０７と、シンセサイザ部２０８と、から主に構成される。
【００３２】
制御信号生成部２０１は、制御信号を生成してベースバンド送信処理部２０２に出力する。なお、制御信号には、変調方式、誤り訂正の符号化率、ＭＩＭＯ関係情報、Ａｃｋ／Ｎａｃｋ等が含まれる。
【００３３】
制御信号生成部２０１は、干渉量測定部２０６から干渉量情報を入力した場合、制御信号に干渉量情報を含める。また、制御信号生成部２０１は、周波数選択部２０７から選択周波数情報を入力した場合、制御信号に選択周波数情報を含める。また、制御信号生成部２０１は、通信開始時において、制御信号に初期周波数情報を含める。
【００３４】
ベースバンド送信処理部２０２は、制御信号生成部２０１から出力された制御信号に対して誤り訂正符号化、変調、ＩＦＦＴ（Inverse Fast Fourier Transform）の各処理を行い、ベースバンド信号（ＯＦＤＭ信号）を得る。そして、ベースバンド送信処理部２０２は、無線送信部２０３にベースバンド信号を出力する。
【００３５】
無線送信部２０３は、ベースバンド送信処理部２０２から出力されたベースバンドの送信信号に対して、増幅、フィルタリング等の無線送信処理を行う。そして、無線送信部２０３は、無線送信処理後の信号に対して、シンセサイザ部２０８から出力されたローカル信号を用いてアップコンバートし、無線信号（ＤＬ信号）を得る。そして、無線送信部２０３は、アンテナからＤＬ信号を送信する。
【００３６】
無線受信部２０４は、アンテナに受信された無線信号（ＵＬ信号）に対して、増幅、フィルタリング等の無線受信処理を行う。そして、無線受信部２０４は、無線受信処理後の信号に対して、シンセサイザ部２０８から出力されたローカル信号を用いてダウンコンバートし、ベースバンド信号（ＯＦＤＭ信号）を得る。そして、無線受信部２０４は、ベースバンド受信処理部２０５にベースバンド信号を出力する。
【００３７】
ベースバンド受信処理部２０５は、無線受信部２０４から出力されたベースバンド信号に対して、ＦＦＴ（Fast Fourier Transform）処理、復調処理、誤り訂正処理等のベースバンド受信処理を行い、誤り検出処理、すなわち、ＵＬ信号の受信の成功／失敗の判定を行う。誤りが検出されなかった場合、すなわち、ＵＬ信号の受信に成功した場合、ベースバンド受信処理部２０５は、受信データ（ＵＬデータ）を得るとともに、制御信号生成部２０１にＡｃｋを出力する。一方、誤りが検出された場合、すなわち、ＵＬ信号の受信に失敗した場合、ベースバンド受信処理部２０５は、制御信号生成部２０１にＮａｃｋを出力する。
【００３８】
干渉量測定部２０６は、ガードタイムの干渉量（例えば、受信強度（ＲＳＳＩ：Received Signal Strength Indicator））を測定し、測定値を示す情報を制御信号生成部２０１及び周波数選択部２０７に出力する。また、干渉量測定部２０６は、周波数におけるＵＬ信号の受信強度を測定し、測定値を示す情報を周波数選択部２０７に出力する。
【００３９】
周波数選択部２０７は、使用中の周波数において、ガードタイムの干渉量が閾値以下の周波数を継続して通信用に選択する。また、周波数選択部２０７は、ガードタイムの干渉量が閾値を越えた周波数があった場合、当該周波数の使用を中止し、他の周波数を通信用の周波数として選択する。そして、周波数選択部２０７は、選択した周波数を示す選択周波数情報を制御信号生成部２０１に出力する。
【００４０】
また、周波数選択部２０７は、ＵＬ信号の受信強度が閾値以下の場合、すなわち、ヌル信号が検出された場合、初期周波数を遷移先の周波数として選択する。なお、初期周波数が使用中である場合、周波数選択部２０７は、初期周波数の次の周波数を遷移先の周波数として選択する。
【００４１】
そして、周波数選択部２０７は、次フレームの先頭（ＵＬ信号の受信開始タイミング）において、選択した周波数のローカル信号を発生させるようにシンセサイザ部２０８を制御する。
【００４２】
シンセサイザ部２０８は、周波数選択部２０７が選択した周波数のローカル信号を発生させて無線送信部２０３及び無線受信部２０４に出力する。
【００４３】
＜通信に使用する周波数の選択＞
次に、実施の形態１の無線通信システムの通信に使用する周波数の選択について、図３を用いて詳細に説明する（図３の横軸は時刻）。図３では、端末１００と基地局２００とが１つの周波数を使用して通信を行っている場合を示している。
【００４４】
図３において、初期周波数として周波数ｆ１が選択され、事前に、基地局２００から端末１００に初期周波数情報が送信されているものとする。そして、端末１００と基地局２００とが、周波数ｆ２を使用して通信を行い、端末１００が、フレームｎで基地局２００から送信されたＤＬ信号の受信に失敗したとする。この場合、端末１００は、フレームｎ＋１では、ＤＬ受信処理（ＤＬ信号に対する無線受信処理及びベースバンド受信処理）の遅延があるため、周波数ｆ２を用いて通信を行うが、フレームｎ＋２から、自発的に初期周波数ｆ１に遷移して通信を行う。この結果、フレームｎ＋２の周波数ｆ２のＵＬ区間はヌルとなる。
【００４５】
基地局２００は、フレームｎ＋２において、周波数ｆ２でヌル信号を検出する。そこで、基地局２００は、フレームｎ＋３から、自発的に初期周波数ｆ１に遷移して通信を行う。
【００４６】
この結果、フレームｎ＋３以降では、端末１００及び基地局２００のいずれも、周波数ｆ１を使用して通信を行うので、通信を継続することができる。
【００４７】
＜端末の動作＞
次に、実施の形態１における端末１００の動作について図４を用いて説明する。なお、図４では、フローの開始時において、既に、端末１００と基地局２００との間で通信が確立され、初期周波数が基地局２００から端末１００に通知されているものとする。
【００４８】
ＤＬ信号の受信期間になると（Ｓ１０１：ＹＥＳ）、端末１００は、基地局２００から受信したＤＬ信号に対してＤＬ受信処理を開始する。
【００４９】
ＤＬ信号の受信に失敗した場合（Ｓ１０２：ＹＥＳ）、端末１００は、ＤＬ受信処理を停止し（Ｓ１０３）、遷移先の周波数を選択する（Ｓ１０４）。なお、端末１００は、初期周波数が使用中でない場合には、遷移先の周波数として初期周波数を選択し、初期周波数が使用中である場合には、遷移先の周波数として初期周波数以外の周波数を選択する。
【００５０】
そして、端末１００は、次のフレームの開始タイミングになるまで、ＤＬ受信処理を停止する（Ｓ１０５：ＮＯ）。次のフレームの開始タイミングになると（Ｓ１０５：ＹＥＳ）、端末１００は、選択した周波数に遷移させる（Ｓ１０６）。そして、フローはＳ１０１に戻る。
【００５１】
Ｓ１０２においてＤＬ受信処理に成功した場合（Ｓ１０２：ＮＯ）、端末１００は、次のフレームの開始タイミングになるまで、ＤＬ受信処理を継続する（Ｓ１０７、Ｓ１０８：ＮＯ）。次のフレームの開始タイミングになると（Ｓ１０８：ＹＥＳ）、フローはＳ１０１に戻る。なお、ＤＬ信号に選択周波数情報が含まれていた場合、端末１００は、選択周波数情報が示す周波数を通信用の周波数として選択し、次のフレームの開始タイミングになると、選択した周波数に遷移させる。
【００５２】
Ｓ１０１においてＤＬ信号の受信期間が終了すると（Ｓ１０１：ＮＯ）、端末１００は、基地局２００にＵＬ信号を送信する（Ｓ１０９）。そして、フローはＳ１０１に戻る。
【００５３】
ここで、ＤＬ信号の受信に失敗し、初期周波数、あるいは初期周波数が使用中である場合には、初期周波数以外の周波数に遷移した直後のフレームにおいては、ＵＬ送信を行ってもよいし、ＵＬ送信を停止（ヌル信号を送信）してもよい。ただし、与干渉低減という観点では、ＵＬ送信を停止した方がよい。
【００５４】
＜基地局の動作＞
次に、実施の形態１における基地局２００の動作について図５を用いて説明する。なお、図５では、図４と同様に、フローの開始時において、既に、端末１００と基地局２００との間で通信が確立され、初期周波数が基地局２００から端末１００に通知されているものとする。
【００５５】
ＵＬ信号の受信期間になると（Ｓ２０１：ＹＥＳ）、基地局２００は、ヌル信号の検出処理を行う（Ｓ２０２）。
【００５６】
ヌル信号を検出した場合（Ｓ２０２：ＹＥＳ）、基地局２００は、ＵＬ受信処理を停止し（Ｓ２０３）、遷移先の周波数を選択する（Ｓ２０４）。なお、基地局２００は、初期周波数が使用中でない場合には、遷移先の周波数として初期周波数を選択し、初期周波数が使用中である場合には、遷移先の周波数として初期周波数以外の周波数を選択する。なお、ヌル信号を検出したフレームにおいては、ＵＬ受信処理を継続し、ＤＬ送信を行ってもよい。ただし、与干渉低減並びに消費電力の観点においては、ＵＬ受信処理並びにＤＬ送信は停止した方がよい。
【００５７】
そして、次のフレームの開始タイミングになると（Ｓ２０５：ＹＥＳ）、基地局２００は、選択した周波数に遷移させる（Ｓ２０６）。そして、フローはＳ２０１に戻る。
【００５８】
Ｓ２０２においてヌル信号を検出しなかった場合（Ｓ２０２：ＮＯ）、基地局２００は、次のフレームの開始タイミングになるまで、ＵＬ受信処理を継続する（Ｓ２０７、Ｓ２０８：ＮＯ）。次のフレームの開始タイミングになると（Ｓ２０８：ＹＥＳ）、フローはＳ２０１に戻る。なお、ガードタイムの干渉量が閾値を越えた場合、基地局２００は、現在の周波数の使用を中止し、他の周波数を通信用の周波数として選択し、選択周波数情報を送信する。そして、基地局２００は、次のフレームの開始タイミングになると、選択した周波数に遷移させる。
【００５９】
Ｓ２０１においてＵＬ信号の受信期間が終了すると（Ｓ２０１：ＮＯ）、基地局２００は、端末１００にＤＬ信号を送信する（Ｓ２０９）。そして、フローはＳ２０１に戻る。
【００６０】
＜効果＞
以上、実施の形態１によれば、端末１００は、ＤＬ信号の受信に失敗した場合、自発的に初期周波数に遷移して通信を行う。また、基地局２００は、通信に使用中の周波数でヌル信号を検出した場合、自発的に初期周波数に遷移して通信を行う。この結果、端末１００及び基地局２００のいずれも、初期周波数を使用して通信を行うことになる。したがって、基地局２００と端末１００との間で通信に使用する周波数に乖離が生じることを防ぎ、基地局２００と端末１００とが通信を継続することができる。
【００６１】
（実施の形態２）
次に、実施の形態２について説明する。なお、実施の形態２において、無線通信システムの構成、基地局２００の内部構成、及び、基地局２００の動作は、実施の形態１で説明したものと共通するため、それらの説明を省略する。
【００６２】
＜端末の内部構成＞
次に、実施の形態２に係る端末１００Ａの内部構成について図６を用いて説明する。なお、図６に示す端末１００Ａにおいて、図１に示した端末１００と共通する構成部分には、図１と同一符号を付して説明を省略する。端末１００Ａでは、周波数選択部１０３Ａ、ベースバンド送信処理部１０５Ａの機能が、端末１００の周波数選択部１０３、ベースバンド送信処理部１０５と異なる。
【００６３】
周波数選択部１０３Ａは、ベースバンド受信処理部１０２からフラグ情報を入力した場合、初期周波数情報が示す初期周波数を遷移先の周波数として選択し、かつ、ベースバンド送信処理部１０５Ａに処理の停止を指示する。なお、周波数選択部１０３Ａのその他の機能は、周波数選択部１０３と共通する。
【００６４】
ベースバンド送信処理部１０５Ａは、周波数選択部１０３Ａから処理の停止を指示された場合、送信データに対する処理を停止させる。この結果、その後のＵＬ区間において、ベースバンド送信処理部１０５Ａから無線送信部１０６に何も出力されず、ヌルとなる。なお、ベースバンド送信処理部１０５Ａのその他の機能は、ベースバンド送信処理部１０５と共通する。
【００６５】
＜通信に使用する周波数の選択＞
次に、実施の形態２の無線通信システムの通信に使用する周波数の選択について、図７を用いて詳細に説明する（図７の横軸は時刻）。図７では、端末１００Ａと基地局２００とが１つの周波数を使用して通信を行っている場合を示している。
【００６６】
図７において、初期周波数として周波数ｆ１が選択され、事前に、基地局２００から端末１００Ａに初期周波数情報が送信されているものとする。そして、端末１００Ａと基地局２００とが、周波数ｆ２を使用して通信を行い、端末１００Ａが、フレームｎで基地局２００から送信されたＤＬ信号の受信に失敗したとする。この場合、端末１００Ａは、フレームｎ＋２から、自発的に初期周波数ｆ１に遷移して通信を行う。
【００６７】
また、端末１００Ａは、フレームｎ＋１において、ＤＬ信号の受信に失敗したことが判明した時点で、ＵＬ信号の送信を停止する。この結果、フレームｎ＋１のＵＬ信号の送信停止後の周波数ｆ２のＵＬ区間はヌルとなる。
【００６８】
基地局２００は、フレームｎ＋１において、周波数ｆ２でヌル信号を検出する。そこで、基地局２００は、フレームｎ＋２から、自発的に初期周波数ｆ１に遷移して通信を行う。
【００６９】
この結果、フレームｎ＋２以降では、端末１００Ａ及び基地局２００のいずれも、周波数ｆ１を使用して通信を行うことになるので、通信を継続することができる。
【００７０】
＜端末の動作＞
次に、実施の形態２における端末１００Ａの動作について図８を用いて説明する。なお、図８において、図４と共通するステップの説明は省略する。図８では、図４と比較して、Ｓ１１０、Ｓ１１１が追加されている。
【００７１】
Ｓ１０１においてＤＬ信号の受信期間が終了すると（Ｓ１０１：ＮＯ）、端末１００Ａは、遷移先の周波数を選択するまでは（Ｓ１１０：ＮＯ）、基地局２００へのＵＬ信号の送信を停止する（Ｓ１１１）。そして、フローはＳ１０１に戻る。
【００７２】
一方、端末１００Ａは、遷移先の周波数の選択が完了すると（Ｓ１１０：ＹＥＳ）、基地局２００にＵＬ信号を送信する（Ｓ１０９）。そして、フローはＳ１０１に戻る。
【００７３】
＜効果＞
以上、実施の形態２によれば、実施の形態１と同様に、端末１００ＡがＤＬ信号の受信に失敗した場合、端末１００Ａ及び基地局２００のいずれも、初期周波数を使用して通信を行う。したがって、基地局２００と端末１００Ａとの間で通信に使用する周波数に乖離が生じることを防ぎ、基地局２００と端末１００Ａとが通信を継続することができる。さらに、実施の形態２によれば、基地局２００が実施の形態１よりも１フレーム早く、初期周波数に遷移することができる。
【００７４】
＜バリエーション＞
上記各実施の形態では、通信に使用可能な周波数帯域が１つである場合について説明したが、本発明はこれに限られず、通信に使用可能な周波数帯域が複数である場合にも適用できる。
【００７５】
通信に使用可能な周波数帯域が複数である場合、周波数帯域毎に初期周波数を設定し、周波数遷移を行う際には、同一の周波数帯域内の初期周波数に遷移させるようにしても良い。あるいは、通信に使用可能な周波数帯域が複数でも、初期周波数を１つのみ設定し、周波数遷移を行う際には、該初期周波数に遷移させるようにしても良い。
【００７６】
通信に使用可能な周波数帯域が複数であり、チャネルアグリゲーションを実施する場合、周波数帯域毎に初期周波数を設定し、周波数遷移を行う際には、各周波数帯域内の初期周波数に遷移させるようにしても良い。
【００７７】
また、上記各実施の形態では、端末１００（１００Ａ）がＤＬ信号の受信に１度失敗すると通信に使用する周波数を遷移させる場合について説明したが、本発明はこれに限られず、例えば、端末１００（１００Ａ）がＤＬ信号の受信に複数フレーム渡って連続して失敗すると通信に使用する周波数を遷移させても良い。端末装置の実装によっては、同一のＤＬ信号が複数フレームに渡って送信されることもあり、このような場合、ＤＬ信号の受信に１度失敗しても、次のフレームにおいて正しく受信できる場合もあり得る。このため、ＤＬ信号の受信に１度失敗しただけでは周波数の遷移を行わないことにより、無意味に通信が途切れることを防ぐことが可能となる。
【００７８】
なお、本発明では、初期周波数を、長周期で可変に設定してもよい。初期周波数を長周期で変更することにより、初期周波数情報を端末に通知する頻度を少なくすることができる。このため、ＤＬ信号で端末に通知する制御信号量の増加も少なくて済む。または、ＤＬ信号の受信失敗時において自発的に遷移するための専用周波数を用意しても良い。
【００７９】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【００８０】
上記各実施の形態では、本開示はハードウェアを用いて構成する例にとって説明したが、本開示はハードウェアとの連携においてソフトウェアでも実現することも可能である。
【００８１】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００８２】
また、集積回路化の手法にはＬＳＩに限らず、専用回路または汎用プロセッサを用いて実現してもよい。ＬＳＩ製造後に、プログラムすることが可能なＦＰＧＡ（Ｆｉｅｌｄ Ｐｒｏｇｒａｍｍａｂｌｅ Ｇａｔｅ Ａｒｒａｙ）、又は、ＬＳＩ内部の回路セルの接続、設定が再構成可能なリコンフィグラブル・プロセッサーを利用してもよい。
【００８３】
更には、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてあり得る。
【００８４】
なお、本開示は、無線通信装置、または制御装置において実行される制御方法として表現することが可能である。また、本開示は、かかる制御方法をコンピュータにより動作させるためのプログラムとして表現することも可能である。更に、本開示は、かかるプログラムをコンピュータによる読み取りが可能な状態で記録した記録媒体として表現することも可能である。すなわち、本開示は、装置、方法、プログラム、記録媒体のうち、いずれのカテゴリーにおいても表現可能である。
【００８５】
また、本開示は、部材の種類、配置、個数等は前述の実施の形態に限定されるものではなく、その構成要素を同等の作用効果を奏するものに適宜置換する等、発明の要旨を逸脱しない範囲で適宜変更することができる。
【産業上の利用可能性】
【００８６】
本開示は、ＦＰＵ等の端末、基地局に用いるに好適である。
【符号の説明】
【００８７】
１００、１００Ａ  端末
１０１  無線受信部
１０２  ベースバンド受信処理部
１０３、１０３Ａ  周波数選択部
１０４  シンセサイザ部
１０５、１０５Ａ  ベースバンド送信処理部
１０６  無線送信部
２００  基地局
２０１  制御信号生成部
２０２  ベースバンド送信処理部
２０３  無線送信部
２０４  無線受信部
２０５  ベースバンド受信処理部
２０６  干渉量測定部
２０７  周波数選択部
２０８  シンセサイザ部
【図１】
2019161307.tif 000003
【図２】
2019161307.tif 000004
【図３】
2019161307.tif 000005
【図４】
2019161307.tif 000006
【図５】
2019161307.tif 000007
【図６】
2019161307.tif 000008
【図７】
2019161307.tif 000009
【図８】
2019161307.tif 000010